(57)【要約】【課題】調光制御の種類を増やして使い勝手の向上を図る。【解決手段】第１モードで動作する制御部１０は、検知部１３の検知結果に対応した第２調光信号Ｓ２を生成する。第２モードで動作する制御部１０は、第１調光信号Ｓ１に対応した第２調光信号Ｓ２を生成する。制御部１０は、第２モードで動作しているときに、範囲Ｘ１を外れた第３デューティ比Ｄ３を有する第１調光信号Ｓ１が入力部１１に入力された場合に第１モードを選択して動作する。また、制御部１０は、第１モードで動作しているときに、範囲Ｘ１内のデューティ比を有する第１調光信号Ｓ１が入力部１１に入力された場合に第２モードを選択して動作する。【選択図】        図１
2018073541.tif 000002
【特許請求の範囲】
【請求項１】
調光信号線を介して第１調光信号が入力される入力部と、照明器具に対して第２調光信号を出力する出力部と、周囲の明るさを検知する検知部と、第１モードと第２モードの２つの動作モードのうちから１つの動作モードを択一的に選択して動作する制御部とを備え、
前記第１モードで動作する前記制御部は、前記検知部の検知結果に対応した第２調光信号を生成し、
前記第２モードで動作する前記制御部は、前記第１調光信号に対応した第２調光信号を生成し、
前記第１調光信号は、調光レベルの上限値に対応した第１デューティ比から前記調光レベルの下限値に対応した第２デューティ比までの範囲の任意のデューティ比を有するデューティ信号であり、
前記制御部は、前記第２モードで動作しているときに、前記範囲を外れた第３デューティ比を有する第１調光信号が前記入力部に入力された場合に前記第１モードを選択して動作し、前記第１モードで動作しているときに、前記範囲内の前記デューティ比を有する第１調光信号が前記入力部に入力された場合に前記第２モードを選択して動作することを特徴とする照明制御装置。
【請求項２】
前記出力部は、電磁波を媒体として前記第２調光信号を出力することを特徴とする請求項１記載の照明制御装置。
【請求項３】
前記出力部は、導体を媒体として前記第２調光信号を出力することを特徴とする請求項１記載の照明制御装置。
【請求項４】
請求項１〜３の何れか１項に記載の照明制御装置と、１つ又は複数の照明器具とを有し、前記１つ又は複数の照明器具は、前記照明制御装置の前記出力部から出力される前記第２調光信号を受け取り、受け取った前記第２調光信号で指示される調光レベルに光出力を一致させるように動作することを特徴とする照明システム。
【請求項５】
前記照明制御装置に対して前記第１調光信号を出力する操作装置を有し、
前記操作装置は、人の手で操作される操作部材と、前記操作部材の操作に対応する前記デューティ比を有した前記第１調光信号を出力する信号出力部とを備えることを特徴とする請求項４記載の照明システム。
【請求項６】
前記操作部材は押操作される押釦であり、
前記信号出力部は、前記操作部材が連続して押操作されている時間が所定時間よりも長い場合に前記第３デューティ比を有した前記第１調光信号を出力することを特徴とする請求項５記載の照明システム。
【請求項７】
前記操作部材は回転操作又はスライド操作される操作つまみであり、
前記信号出力部は、前記操作つまみが所定位置まで回転操作又はスライド操作された場合に前記第３デューティ比を有した前記第１調光信号を出力することを特徴とする請求項５記載の照明システム。
【請求項８】
前記操作装置は、表示部を備え、
前記表示部は、前記信号出力部が前記第３デューティ比を有した前記第１調光信号を出力していることを表示することを特徴とする請求項５〜７のいずれか１項に記載の照明システム。
【発明の詳細な説明】
【技術分野】
【０００１】
本発明は、照明制御装置及び照明システムに関し、より詳細には、照明器具を調光制御する照明制御装置、及び、当該照明制御装置と照明器具を含む照明システムに関する。
【背景技術】
【０００２】
特許文献１には、少なくとも１つの照明器具と、調光信号を出力する調光器と、調光器から出力される調光信号（デューティ信号）を位相制御信号に変換して照明器具に出力する調光信号変換装置とを有する照明システムが開示されている。
【０００３】
調光器は、壁面などに取り付けられる矩形箱状の調光器本体を有している。調光器本体の前面には、照明器具の調光レベルを設定するための回転式の操作ツマミが設けられている。操作ツマミは、調光レベルの下限値に対応した操作位置と、調光レベルの上限値に対応した操作位置との間で回転可能に調光器本体に設けられている。調光器は、操作ツマミの操作位置に対応したデューティ比の矩形波信号（デューティ信号）を生成し、当該矩形波信号からなる調光信号を調光信号線に出力する。
【先行技術文献】
【特許文献】
【０００４】
【特許文献１】特開２０１３−２３５７７６号公報
【発明の概要】
【発明が解決しようとする課題】
【０００５】
ところで、この種の照明システムでは、人の操作による調光制御を行うことだけでなく、例えば、周囲の明るさに応じて自動的に照明器具の調光レベルを変更するような調光制御を行うことが要望されている。しかしながら、特許文献１記載の照明システムや調光信号変換装置（照明制御装置）の構成では、前記要望に応えることが困難である。
【０００６】
本発明の目的は、調光制御の種類を増やして使い勝手の向上を図ることが可能な照明制御装置及び照明システムを提供することである。
【課題を解決するための手段】
【０００７】
本発明の一態様に係る照明制御装置は、調光信号線を介して第１調光信号が入力される入力部と、照明器具に対して第２調光信号を出力する出力部とを備えている。照明制御装置は、さらに、周囲の明るさを検知する検知部と、第１モードと第２モードの２つの動作モードのうちから１つの動作モードを択一的に選択して動作する制御部とを備えている。前記第１モードで動作する前記制御部は、前記検知部の検知結果に対応した第２調光信号を生成する。前記第２モードで動作する前記制御部は、前記第１調光信号に対応した第２調光信号を生成する。前記第１調光信号は、調光レベルの上限値に対応した第１デューティ比から前記調光レベルの下限値に対応した第２デューティ比までの範囲の任意のデューティ比を有するデューティ信号である。前記制御部は、前記第２モードで動作しているときに、前記範囲を外れた第３デューティ比を有する第１調光信号が前記入力部に入力された場合に前記第１モードを選択して動作する。前記制御部は、前記第１モードで動作しているときに、前記範囲内の前記デューティ比を有する第１調光信号が前記入力部に入力された場合に前記第２モードを選択して動作する。
【０００８】
本発明の一態様に係る照明システムは、前記照明制御装置と、１つ又は複数の照明器具とを有している。前記１つ又は複数の照明器具は、前記照明制御装置の前記出力部から出力される前記第２調光信号を受け取り、受け取った前記第２調光信号で指示される調光レベルに光出力を一致させるように動作する。
【発明の効果】
【０００９】
本発明は、調光制御の種類を増やして使い勝手の向上を図ることが可能な照明制御装置及び照明システムを提供することができる。
【図面の簡単な説明】
【００１０】
【図１】図１は、本発明の一実施形態に係る照明システムのシステム構成及び本発明の一実施形態に係る照明制御装置の回路ブロックを示す図である。
【図２】図２は、同上の照明制御装置及び照明システムにおける第１調光信号のデューティ比と調光レベルの関係を示す図である。
【図３】図３Ａは、同上の照明システムにおける操作装置の正面図である。図３Ｂは、同上の操作装置の回路ブロック図である。図３Ｃは、同上の操作装置の出力回路の回路図である。図３Ｄは、同上の第１調光信号の波形図である。
【図４】図４は、同上の照明システムにおける操作装置の変形例１を示す正面図である。
【発明を実施するための形態】
【００１１】
以下、本発明に係る照明制御装置の実施形態及び本発明に係る照明システムの実施形態について、図面を参照して詳細に説明する。ただし、以下の実施形態で説明する構成は本発明の一例にすぎない。本発明は、以下の実施形態に限定されず、本発明の効果を奏することができれば、設計等に応じて種々の変更が可能である。
【００１２】
本実施形態の照明システム７は、図１に示すように、照明制御装置１と、照明器具２とを有している。また、照明システム７は、操作装置３を有することが好ましい。照明器具２は、１つでもよいし、複数でもよい。照明制御装置１と１つ又は複数の照明器具２は、２線式の電源線５による送り配線によって外部電源４と電気的に接続されている。外部電源４は、例えば、商用の交流電源である。ただし、電源線５は、接地線を含む３線式の電線であっても構わない。
【００１３】
各照明器具２は全て同一の構成を有している。したがって、図１では１つの照明器具２についてだけ、回路ブロックを図示している。照明器具２は、光源部２０と、点灯部２１と、受信部２２と、器具制御部２３とを備えている。光源部２０は、複数の照明用白色ＬＥＤ（Light Emitting Diode）が基板に実装されたＬＥＤモジュールである。
【００１４】
点灯部２１は、電源線５を介して外部電源４から供給される交流電力を直流電力に変換し、変換後の直流電力を光源部２０に供給して光源部２０を点灯する。このような点灯部２１は、例えば、全波整流器、力率改善回路（昇圧チョッパ回路）、降圧チョッパ回路などで構成されることが好ましい。点灯部２１は、器具制御部２３からの指示に応じて、降圧チョッパ回路を停止して光源部２０を消灯したり、降圧チョッパ回路から出力する直流電流を増減して光源部２０を調光する。ただし、このような点灯部２１は従来周知であるから、詳細な回路構成の図示並びに説明は省略する。
【００１５】
受信部２２は、アンテナで受信する電波（無線信号）から元の信号（第２調光信号Ｓ２）を復調し、復調した第２調光信号Ｓ２に含まれるデータ（デューティ比）を取得して器具制御部２３に渡すように構成されている。受信部２２が受信する電波は、日本の電波法に規定されている特定小電力無線局の電波（例えば、９２０ＭＨｚ帯の電波）である。このような受信部２２は、例えば、集積回路からなる無線モジュールあるいはＲＦ（Radio Frequency）レシーバなどで実現可能であるから、詳細な構成の図示並びに説明は省略する。
【００１６】
器具制御部２３は、マイクロコントローラで構成されることが好ましい。器具制御部２３は、受信部２２から受け取るデータ（デューティ比）を調光レベルに変換する。なお、調光レベルとは、光源部２０を定格点灯させているときの点灯部２１の出力電流の大きさを１００［％］とした出力電流の比率である。器具制御部２３は、点灯部２１に流れる電流の大きさを、デューティ比から変換した調光レベルに対応した大きさとするように、点灯部２１を制御する。例えば、調光レベルが８０［％］である場合、器具制御部２３は、光源部２０に流れる電流の大きさを、定格点灯時の出力電流の大きさの８０［％］の大きさとするように点灯部２１を制御する。このようにして、光源部２０の光出力が調整（調光）される。
【００１７】
照明器具２は、例えば、体育館やホールの天井に設置されて体育館の床やホールの客席などを高所から照明する照明器具、いわゆる高天井用の照明器具である。ただし、照明器具２は高天井用の照明器具に限定されず、事務所や店舗などの天井あるいは壁などに設置される照明器具などであっても構わない。
【００１８】
照明制御装置１は、制御部１０と、入力部１１と、出力部１２と、検知部１３と、電源部１４とを備えている（図１参照）。電源部１４は、電源線５による送り配線によって外部電源４と電気的に接続されている。電源部１４は、外部電源４から供給される交流電圧（例えば、実効値１００［Ｖ］の交流電圧）を５［Ｖ］又は３．３［Ｖ］程度の低圧の直流電圧に変換している。電源部１４は、変換後の直流電圧を、動作電源電圧Ｖccとして制御部１０、入力部１１、出力部１２及び検知部１３に供給している。
【００１９】
入力部１１は、２線式の調光信号線６を介して操作装置３と電気的に接続される。入力部１１は、調光信号線６を介して操作装置３から調光信号（第１調光信号Ｓ１）が入力される。調光信号（第１調光信号Ｓ１）は、図３Ｄに示すように、周期Ｔ１を一定とした矩形波信号であり、調光レベルに対応したデューティ比を有している。デューティ比とは、図３Ｄに示すように、第１調光信号Ｓ１の周期Ｔ１に対するオン幅Ｔ２の割合（Ｔ２／Ｔ１×１００［％］）である。入力部１１は、第１調光信号Ｓ１を積分することによりデューティ比（調光レベル）に比例した電圧値を有する直流電圧を制御部１０に出力している。
【００２０】
出力部１２は、照明器具２の受信部２２と同じく特定小電力無線局の電波（例えば、９２０ＭＨｚ帯の電波）を媒体とする無線信号によって第２調光信号Ｓ２を送信する。ただし、このような出力部１２は、例えば、照明器具２の受信部２２と同様に、集積回路からなる無線モジュールなどで実現可能であるから、詳細な構成の図示並びに説明は省略する。
【００２１】
検知部１３は、フォトダイオード又は太陽電池などの光電変換素子、光電変換素子から出力されるアナログの電気信号をディジタルの検知信号に変換するアナログ・ディジタル変換回路などを有している。光源変換素子から出力される電気信号のアナログ量は、光電変換素子で受光する光量、すなわち、照度に比例した値となる。
【００２２】
制御部１０は、マイクロコントローラからなるハードウェアと、マイクロコントローラで実行されるソフトウェアとで構成されている。このソフトウェアは、第１プログラムと第２プログラムとを含んでいる。なお、以下の説明では、マイクロコントローラが第１プログラムを実行しているときの制御部１０の動作を第１モードと呼び、マイクロコントローラが第２プログラムを実行しているときの制御部１０の動作を第２モードと呼ぶ。
【００２３】
第１モードで動作する制御部１０は、検知部１３から出力される検知信号を取り込み、検知信号で示される光量を明るさの目標値と比較する。検知信号で示される光量が目標値よりも低い場合、制御部１０は、現在の調光レベルよりも高い調光レベルに対応するデータ（デューティ比）を含む第２調光信号Ｓ２を生成して出力部１２に渡す。一方、検知信号で示される光量が目標値よりも高い場合、制御部１０は、現在の調光レベルよりも低い調光レベルに対応するデータ（デューティ比）を含む第２調光信号Ｓ２を生成して出力部１２に渡す。出力部１２に渡された第２調光信号Ｓ２は、電波を媒体とする無線信号によって各照明器具２へ出力（送信）される。つまり、第１モードで動作する制御部１０は、例えば、体育館の床やホールの客席などの明るさ（照度）を一定に保つように各照明器具２を調光する。
【００２４】
第２モードで動作する制御部１０は、入力部１１に入力される第１調光信号Ｓ１の調光レベルと同じ調光レベルの第２調光信号Ｓ２を生成して出力部１２に渡す。出力部１２に渡された第２調光信号Ｓ２は、電波を媒体とする無線信号によって各照明器具２へ出力（送信）される。つまり、第２モードで動作する制御部１０は、調光信号線６を介して操作装置３から受け取る第１調光信号Ｓ１を各照明器具２に中継する。
【００２５】
操作装置３は、人の手で操作される操作部材３１と、操作部材３１の操作に対応するデューティ比を有した第１調光信号Ｓ１を出力する信号出力部３０とを備えている。また、操作装置３は、図３Ｂに示すように、操作部３２、出力回路３３及び表示部３４を備えることが好ましい。操作部材３１は、例えば、人の手（指）で押操作される押釦であることが好ましい。操作部３２は、例えば、操作部材３１（押釦）が押操作されているときにオンとなり、かつ、操作部材３１（押釦）が押操作されていないときにオフとなる押釦スイッチを有することが好ましい。操作部３２は、押釦スイッチがオンされているときに信号出力部３０に操作信号を出力する。信号出力部３０は、マイクロコントローラで構成されることが好ましい。信号出力部３０は、操作部３２から操作信号を受け取ることで押釦スイッチ、すなわち、操作部材３１が押操作されていることを検知する。表示部３４は、複数個の表示素子と、それら複数個の表示素子を個別に駆動（発光）させる駆動回路とを有している。表示部３４は、信号出力部３０により駆動回路が制御されて１つ又は複数個の表示素子を発光させる。なお、表示素子は、表示用の発光ダイオードであることが好ましい。出力回路３３は、例えば、図３Ｃに示すようにスイッチ素子Ｑ１と抵抗器Ｒ１で構成されることが好ましい。スイッチ素子Ｑ１は、ｐｎｐ型のバイポーラトランジスタである。スイッチ素子Ｑ１のエミッタに定電圧Ｖｄが印加されている。スイッチ素子Ｑ１のコレクタが抵抗器Ｒ１を介してグランドに電気的に接続されている。スイッチ素子Ｑ１のベースは、信号出力部３０を構成するマイクロコントローラの出力ポートと電気的に接続されている。スイッチ素子Ｑ１のコレクタと抵抗器Ｒ１の接続点が調光信号線６と電気的に接続されている。つまり、出力回路３３は、信号出力部３０の出力ポートがローレベルのときにスイッチ素子Ｑ１をオンして抵抗器Ｒ１に定電流を流すことで第１調光信号Ｓ１をハイレベルとする。また、出力回路３３は、信号出力部３０の出力ポートがハイレベルのときにスイッチ素子Ｑ１をオフして抵抗器Ｒ１に定電流を流さないことで第１調光信号Ｓ１をローレベルとする。
【００２６】
操作装置３は、例えば、図３Ａに示すように、長尺の矩形箱状に形成された合成樹脂製のハウジング３５を有している。ハウジング３５の前面には、４つの第１押釦３１０と、４つの第２押釦３１１とが設けられている。４つの第１押釦３１０は、ハウジング３５の長手方向（横方向）に沿って１列に並ぶように配置されている。また、４つの第２押釦３１１はそれぞれ、ハウジング３５の横方向に沿って１列に並び、かつ、ハウジング３５の短手方向（縦方向）に沿って、対応する１つの第１押釦３１０と１列に並ぶように配置されている。４つの第１押釦３１０と４つの第２押釦３１１とはそれぞれ、一対一に対応している。つまり、操作部材３１は、ハウジング３５の縦方向に沿って一列に並ぶ第１押釦３１０と第２押釦３１１の組を４組有している。信号出力部３０は、４系統の調光信号線６と電気的に接続可能に構成されている。各系統の調光信号線６はそれぞれ、対応する照明制御装置１と電気的に接続される。なお、図１においては、１系統の調光信号線６にのみ照明制御装置１が電気的に接続されているシステム構成を図示しているが、４系統の調光信号線６のそれぞれに照明制御装置１が電気的に接続されるシステム構成でもよい。
【００２７】
ここで、ハウジング３５の前面における４組の第１押釦３１０と第２押釦３１１の組のそれぞれの左隣に、複数（例えば、７つ）の貫通孔３５０が縦方向に１列に並ぶように設けられている。これらの貫通孔３５０は、表示部３４が有する複数個の表示素子から放射される光（例えば、緑色光、青色光又は赤色光）をハウジング３５の前方に通過させる。
【００２８】
操作部３２は、第１押釦３１０に対応する押釦スイッチがオンしているときに第１操作信号を出力し、第２押釦３１１に対応する押釦スイッチがオンしているときに第２操作信号を出力する。信号出力部３０は、操作部３２から第１操作信号を受け取ると調光レベルを増加させ、操作部３２から第２操作信号を受け取ると調光レベルを減少させる。また、信号出力部３０は、表示部３４を制御し、調光レベルに合わせて表示素子を発光させる個数を増減することで調光レベルを表示させる。
【００２９】
ここで、信号出力部３０は、第１調光信号Ｓ１のデューティ比を、調光レベルの上限値に対応した第１デューティ比Ｄ１から調光レベルの下限値に対応した第２デューティ比Ｄ２までの範囲Ｘ１で変化させる（図２参照）。ただし、調光レベルの上限値は、例えば、定格値の１００［％］であり、調光レベルの下限値は、例えば、５［％］である。また、第１デューティ比Ｄ１は、例えば、５［％］であり、第２デューティ比Ｄ２は、例えば、９５［％］である（図２参照）。信号出力部３０は、操作部材３１が操作されることで指示された調光レベルをデューティ比に変換し、変換したデューティ比を有する第１調光信号Ｓ１を出力回路３３から調光信号線６を介して照明制御装置１に出力する（図３Ｄ参照）。なお、第１調光信号Ｓ１のデューティ比が９５［％］よりも高い値（例えば、９９［％］）である場合、照明器具２の器具制御部２３は、点灯部２１を制御して光源部２０を消灯させることが好ましい。
【００３０】
ところで、信号出力部３０は、操作部材３１が連続して押操作されている時間が所定時間（例えば、５秒）よりも長い場合に第３デューティ比Ｄ３を有した第１調光信号Ｓ１を出力する。より詳細には、信号出力部３０は、調光レベルを１００［％］としている場合において、第１操作信号が連続して５秒以上入力されたときに、デューティ比を第３デューティ比Ｄ３とした第１調光信号Ｓ１を出力回路３３から出力することが好ましい。第３デューティ比Ｄ３は、範囲Ｘ１外の任意のデューティ比、例えば、２．５［％］±０．５［％］以下であることが好ましい。
【００３１】
照明制御装置１の制御部１０は、第２モードで動作しているときに第３デューティ比Ｄ３を有する第１調光信号Ｓ１を入力部１１から受け取ると第１モードを選択して動作する。また、制御部１０は、第１モードで動作しているときに、範囲Ｘ１内のデューティ比を有する第１調光信号Ｓ１を入力部１１から受け取ると第２モードを選択して動作する。つまり、制御部１０は、入力部１１に入力される第１調光信号Ｓ１のデューティ比（範囲Ｘ１内の任意のデューティ比及び第３デューティ比Ｄ３）に応じて、第１モードと第２モードを択一的に選択して動作する。したがって、使用者は、操作装置３の操作部材３１を操作することにより、調光レベルを変更するだけでなく、照明制御装置１（の制御部１０）の動作モードを切り換えさせることができる。なお、信号出力部３０は、第３デューティ比Ｄ３を有した第１調光信号Ｓ１を出力している間、表示部３４に照明制御装置１の動作モードが第１モードであることを表示させることが好ましい。例えば、信号出力部３０は、表示部３４の駆動回路を制御し、縦方向の両端の表示素子のうちで第１押釦３１０と隣合う表示素子（図３Ａにおける最上位の貫通孔３５０に対応する表示素子）を点滅させればよい。ゆえに、操作装置３は、表示部３４の表示素子を点滅させることによって、照明制御装置１（の制御部１０）が第１モードで動作していることを使用者に報知することができる。
【００３２】
ところで、操作装置３の操作部材３１は押釦に限定されない。例えば、図４に示す変形例１の操作装置３Ａにおいては、直方体形状のハウジング３６の前面に操作部材（操作つまみ３１２）が回転可能に取り付けられている。操作つまみ３１２は、円筒形状の合成樹脂成形体で構成されている。操作つまみ３１２の前面（底面）には、直線状の目印３１３が形成されている。一方、ハウジング３６の前面における操作つまみ３１２の周囲には、第１マーク３６０、第２マーク３６１及び第３マーク３６２が形成されている。操作つまみ３１２は、ハウジング３６の前方から見て、目印３１３を第１マーク３６０と直線状に並べる位置（下限位置）から、目印３１３を第２マーク３６１と直線状に並べる位置（上限位置）まで連続して双方向に回転可能である。さらに、操作つまみ３１２は、目印３１３を上限位置から第３マーク３６２と直線状に並べる位置（切替位置）まで双方向に回転可能である。
【００３３】
変形例１の操作装置３Ａにおける操作部３２は、操作つまみ３１２の操作位置（ハウジング３６に対する目印３１３の位置）に対応して抵抗値が変化する可変抵抗器を有することが好ましい。操作部３２は、可変抵抗器の抵抗値に比例した電圧からなる操作信号を信号出力部３０に出力することが好ましい。信号出力部３０は、操作つまみ３１２の下限位置に対応した操作信号を操作部３２から受け取ると、調光レベルの下限値に対応した第２デューティ比Ｄ２の第１調光信号Ｓ１を出力する。また、信号出力部３０は、操作つまみ３１２の上限位置に対応した操作信号を操作部３２から受け取ると、調光レベルの上限値に対応した第１デューティ比Ｄ１の第１調光信号Ｓ１を出力する。さらに、信号出力部３０は、操作つまみ３１２の切替位置に対応した操作信号を操作部３２から受け取ると、第３デューティ比Ｄ３の第１調光信号Ｓ１を出力する。つまり、使用者は、操作装置３の操作つまみ３１２を操作する（回転させる）ことにより、調光レベルを変更するだけでなく、照明制御装置１（の制御部１０）の動作モードを切り換えさせることができる。なお、操作装置３のハウジング３６は、操作つまみ３１２が上限位置と切替位置の間を変位（回転）する際、操作つまみ３１２を操作する使用者の手にクリック感を感じさせるように構成されることが好ましい。例えば、操作装置３は、操作つまみ３１２とハウジング３６の双方に突起が設けられ、操作つまみ３１２に設けられた突起に、ハウジング３６に設けられた突起を乗り越えさせることでクリック感を生じさせればよい。
【００３４】
なお、照明制御装置１の出力部１２は、電波以外の電磁波、例えば、赤外線を媒体として第２調光信号Ｓ２を出力してもよい。あるいは、出力部１２は、電磁波の代わりに、導体（被覆電線の導体）を媒体として第２調光信号Ｓ２を出力しても構わない。さらに、操作装置３の操作部材３１は、押釦や回転式の操作つまみ３１２の代わりに、スライド操作可能な操作つまみであっても構わない。
【００３５】
上述のように照明制御装置１は、調光信号線６を介して第１調光信号Ｓ１が入力される入力部１１と、照明器具２に対して第２調光信号Ｓ２を出力する出力部１２とを備えている。照明制御装置１は、さらに、周囲の明るさを検知する検知部１３と、第１モードと第２モードの２つの動作モードのうちから１つの動作モードを択一的に選択して動作する制御部１０とを備えている。第１モードで動作する制御部１０は、検知部１３の検知結果に対応した第２調光信号Ｓ２を生成する。第２モードで動作する制御部１０は、第１調光信号Ｓ１に対応した第２調光信号Ｓ２を生成する。第１調光信号は、調光レベルの上限値に対応した第１デューティ比Ｄ１から調光レベルの下限値に対応した第２デューティ比Ｄ２までの範囲Ｘ１の任意のデューティ比を有するデューティ信号である。制御部１０は、第２モードで動作しているときに、範囲Ｘ１を外れた第３デューティ比Ｄ３を有する第１調光信号Ｓ１が入力部１１に入力された場合に第１モードを選択して動作する。また、制御部１０は、第１モードで動作しているときに、範囲Ｘ１内のデューティ比を有する第１調光信号Ｓ１が入力部１１に入力された場合に第２モードを選択して動作する。
【００３６】
照明制御装置１が上述のように構成されれば、検知部１３が検知する周囲の明るさに応じた調光制御だけでなく、外部から入力部１１に入力する第１調光信号Ｓ１に応じた調光制御を行うことができる。その結果、照明制御装置１は、調光制御の種類を増やして使い勝手の向上を図ることが可能となる。
【００３７】
照明制御装置１において、出力部１２は、電磁波を媒体として第２調光信号Ｓ２を出力することが好ましい。なお、電磁波は、電波の他に赤外線などの電磁波でも構わない。
【００３８】
照明制御装置１が上述のように構成されれば、出力部１２と照明器具２を電気的に接続して第２調光信号Ｓ２を伝送するための電線が不要であるから、省施工化を図ることができる。
【００３９】
照明制御装置１において、出力部１２は、導体を媒体として第２調光信号Ｓ２を出力することが好ましい。
【００４０】
照明制御装置１が上述のように構成されれば、第２調光信号Ｓ２が受けるノイズの影響を減らすことができる。
【００４１】
照明システム７は上述のように、照明制御装置１と、１つ又は複数の照明器具２とを有する。１つ又は複数の照明器具２は、照明制御装置１の出力部１２から出力される第２調光信号Ｓ２を受け取り、受け取った第２調光信号Ｓ２で指示される調光レベルに光出力を一致させるように動作する。
【００４２】
照明システム７が上述のように構成されれば、検知部１３が検知する周囲の明るさに応じた調光制御だけでなく、外部から入力部１１に入力する第１調光信号Ｓ１に応じた調光制御を行うことができる。その結果、照明システム７は、調光制御の種類を増やして使い勝手の向上を図ることが可能となる。
【００４３】
照明システム７において、照明制御装置１に対して第１調光信号Ｓ１を出力する操作装置３を有することが好ましい。操作装置３は、人の手で操作される操作部材３１と、操作部材３１の操作に対応するデューティ比を有した第１調光信号を出力する信号出力部３０とを備えることが好ましい。
【００４４】
照明システム７が上述のように構成されれば、人の手で操作される操作部材３１を備えた操作装置３から照明制御装置１へ第１調光信号Ｓ１を出力させることにより、使い勝手の向上を図ることができる。
【００４５】
照明システム７において、操作部材３１は押操作される押釦（第１押釦３１０、第２押釦３１１）であることが好ましい。信号出力部３０は、操作部材３１が連続して押操作されている時間が所定時間よりも長い場合に第３デューティ比Ｄ３を有した第１調光信号Ｓ１を出力することが好ましい。
【００４６】
照明システム７が上述のように構成されれば、専用の操作部材３１を操作装置３に設ける必要がないので、操作装置３の構成の簡略化を図ることができる。
【００４７】
照明システム７において、操作部材３１は回転操作又はスライド操作される操作つまみ３１２であることが好ましい。信号出力部３０は、操作つまみ３１２が所定位置まで回転操作又はスライド操作された場合に第３デューティ比Ｄ３を有した第１調光信号Ｓ１を出力することが好ましい。
【００４８】
照明システム７が上述のように構成されれば、専用の操作部材３１を操作装置３に設ける必要がないので、操作装置３の構成の簡略化を図ることができる。
【００４９】
照明システム７において、操作装置３は、表示部３４を備えることが好ましい。表示部３４は、信号出力部３０が第３デューティ比Ｄ３を有した第１調光信号Ｓ１を出力していることを表示することが好ましい。
【００５０】
照明システム７が上述のように構成されれば、表示部３４の表示により、照明制御装置１（の制御部１０）が第１モードで動作していることを使用者に報知することができる。
【符号の説明】
【００５１】
１  照明制御装置
２  照明器具
３  操作装置
６  調光信号線
７  照明システム
１０  制御部
１１  入力部
１２  出力部
１３  検知部
３０  信号出力部
３１  操作部材
３４  表示部
３１０  第１押釦（押釦）
３１２  操作つまみ
Ｓ１  第１調光信号
Ｓ２  第２調光信号
【図１】
2018073541.tif 000003
【図２】
2018073541.tif 000004
【図３】
2018073541.tif 000005
【図４】
2018073541.tif 000006